(57)【要約】【課題】ネットワーク上で繋がったユーザ端末間において音楽・画像の組合せ情報を容易に授受できる音楽配信システムを提供する。【解決手段】本音楽配信システムの電子装置２は、所定のパターンの画像処理を施しながら画像データを再生し、かつ、この画像データの再生と同期させて音楽データを再生するリミックス再生機能を有しており、組合せ設定部２０２は、この画像データ、画像処理パターンおよび音楽データからなるリミックスの組合せを設定する。通信制御部２０１は、組合せ設定部２０２によって設定されたリミックスを構成する各データのうち、著作権保護された音楽データを除く組合せデータおよび画像データを友達等の他の電子装置２に送信するとともに、このリミックスを構成する音楽データを他の電子装置２へ配信する旨の要求を当該音楽データの著作権を保有する音楽配信業者のサーバ装置１に通知する。【選択図】図１
2007033512.tif 000002
【特許請求の範囲】
【請求項１】
音楽データを配信する音楽配信サーバ装置と、前記音楽配信サーバ装置とネットワーク接続される電子装置とからなる音楽配信システムにおいて、
前記電子装置は、
所定のパターンの画像処理を施しながら画像データを再生し、かつ、この画像データの再生と同期させて音楽データを再生する組合せ再生のための画像データ、画像処理パターンおよび音楽データの組合せに関する組合せ情報を設定する組合せ設定部と、
前記組合せ設定部により設定された組合せ情報と、当該組合せ情報で示される画像データとを前記ネットワーク経由で直接的に他の電子装置に送信するとともに、前記他の電子装置に対する配信を前記ネットワーク経由で前記音楽配信サーバ装置に要求することによって当該組合せ情報で示される音楽データを間接的に前記他の電子装置に送信する通信制御部と
を備え、
前記音楽配信サーバ装置は、前記電子装置の前記通信制御部からの要求に応じて、配信対象の音楽データを前記ネットワーク経由で前記他の電子機器に配信する音楽送信管理部を備える
ことを特徴とする音楽配信システム。
【請求項２】
前記音楽配信サーバ装置の前記音楽送信管理部は、前記他の電子機器に対する音楽データの配信に関する課金を当該配信の要求元である前記電子装置の使用者に対して行うことを特徴とする請求項１記載の音楽配信システム。
【請求項３】
音楽データを配信する音楽配信サーバ装置とネットワーク接続される電子装置において、
所定のパターンの画像処理を施しながら画像データを再生し、かつ、この画像データの再生と同期させて音楽データを再生する組合せ再生のための画像データ、画像処理パターンおよび音楽データの組合せに関する組合せ情報を設定する組合せ設定部と、
前記組合せ設定部により設定された組合せ情報と、当該組合せ情報で示される画像データとを前記ネットワーク経由で直接的に他の電子装置に送信するとともに、前記他の電子装置に対する配信を前記ネットワーク経由で前記音楽配信サーバ装置に要求することによって当該組合せ情報で示される音楽データを間接的に前記他の電子装置に送信する通信制御部と
を具備することを特徴とする電子装置。
【請求項４】
音楽データを配信する音楽配信サーバ装置と、前記音楽配信サーバ装置とネットワーク接続される電子装置とからなる音楽配信システムにおいて、
前記電子装置は、
所定のパターンの画像処理を施しながら画像データを再生し、かつ、この画像データの再生と同期させて音楽データを再生する組合せ再生のための画像データ、画像処理パターンおよび音楽データの組合せに関する組合せ情報を設定する組合せ設定部と、
前記組合せ設定部により設定された組合せ情報と、当該組合せ情報で示される画像データとを前記ネットワーク経由で前記音楽配信サーバ装置に送信し、この組合せ情報および画像データに付属させて、当該組合せ情報で示される音楽データを他の電子機器に配信する旨を前記音楽配信サーバ装置に要求する通信制御部と
を備え、
前記音楽配信サーバ装置は、前記電子装置の前記通信制御部からの要求に応じて、配信対象の音楽データを当該電子機器から送信される組合せ情報および画像データに付属させて前記ネットワーク経由で前記他の電子機器に配信する音楽送信管理部を備える
ことを特徴とする音楽配信システム。
【請求項５】
音楽データを配信する音楽配信サーバ装置とネットワーク接続される電子装置において、
所定のパターンの画像処理を施しながら画像データを再生し、かつ、この画像データの再生と同期させて音楽データを再生する組合せ再生のための画像データ、画像処理パターンおよび音楽データの組合せに関する組合せ情報を設定する組合せ設定部と、
前記組合せ設定部により設定された組合せ情報と、当該組合せ情報で示される画像データとを前記ネットワーク経由で前記音楽配信サーバ装置に送信し、この組合せ情報および画像データに付属させて、当該組合せ情報で示される音楽データを他の電子機器に配信する旨を前記音楽配信サーバ装置に要求する通信制御部と
を具備することを特徴とする電子装置。
【請求項６】
音楽データを配信する音楽配信サーバ装置と、前記音楽配信サーバ装置とネットワーク接続される電子装置とからなる音楽配信システムの制御方法であって、
前記電子装置によって、
所定のパターンの画像処理を施しながら画像データを再生し、かつ、この画像データの再生と同期させて音楽データを再生する組合せ再生のための画像データ、画像処理パターンおよび音楽データの組合せに関する組合せ情報を設定し、
前記設定した組合せ情報と、当該組合せ情報で示される画像データとを前記ネットワーク経由で直接的に他の電子装置に送信するとともに、前記他の電子装置に対する配信を前記ネットワーク経由で前記音楽配信サーバ装置に要求することによって当該組合せ情報で示される音楽データを間接的に前記他の電子装置に送信し、
前記音楽配信サーバ装置によって、前記電子装置からの要求に応じて、配信対象の音楽データを前記ネットワーク経由で前記他の電子機器に配信する
ことを特徴とする音楽配信システムの制御方法。
【請求項７】
音楽データを配信する音楽配信サーバ装置とネットワーク接続される電子装置の制御方法であって、
所定のパターンの画像処理を施しながら画像データを再生し、かつ、この画像データの再生と同期させて音楽データを再生する組合せ再生のための画像データ、画像処理パターンおよび音楽データの組合せに関する組合せ情報を設定し、
前記設定した組合せ情報と、当該組合せ情報で示される画像データとを前記ネットワーク経由で直接的に他の電子装置に送信するとともに、前記他の電子装置に対する配信を前記ネットワーク経由で前記音楽配信サーバ装置に要求することによって当該組合せ情報で示される音楽データを間接的に前記他の電子装置に送信する
ことを特徴とする電子装置の制御方法。
【請求項８】
音楽データを配信する音楽配信サーバ装置とネットワーク接続される電子装置の制御方法をコンピュータに実行させるプログラムであって、
前記制御方法は、
所定のパターンの画像処理を施しながら画像データを再生し、かつ、この画像データの再生と同期させて音楽データを再生する組合せ再生のための画像データ、画像処理パターンおよび音楽データの組合せに関する組合せ情報を設定し、
前記設定した組合せ情報と、当該組合せ情報で示される画像データとを前記ネットワーク経由で直接的に他の電子装置に送信するとともに、前記他の電子装置に対する配信を前記ネットワーク経由で前記音楽配信サーバ装置に要求することによって当該組合せ情報で示される音楽データを間接的に前記他の電子装置に送信する
ことを特徴とするプログラム。
【請求項９】
音楽データを配信する音楽配信サーバ装置とネットワーク接続される電子装置の制御方法をコンピュータに実行させるプログラムが記憶されたコンピュータ読み取り可能な記憶媒体であって、
前記制御方法は、
所定のパターンの画像処理を施しながら画像データを再生し、かつ、この画像データの再生と同期させて音楽データを再生する組合せ再生のための画像データ、画像処理パターンおよび音楽データの組合せに関する組合せ情報を設定し、
前記設定した組合せ情報と、当該組合せ情報で示される画像データとを前記ネットワーク経由で直接的に他の電子装置に送信するとともに、前記他の電子装置に対する配信を前記ネットワーク経由で前記音楽配信サーバ装置に要求することによって当該組合せ情報で示される音楽データを間接的に前記他の電子装置に送信する
ことを特徴とする記憶媒体。
【発明の詳細な説明】
【技術分野】
【０００１】
この発明は、著作権保護を遵守しつつインターネット等のネットワークを介したユーザ端末装置間における音楽データを含む複合データの簡易的な送受信を実現するデータ送受信技術に関する。
【背景技術】
【０００２】
近年の圧縮符号化技術の向上に伴い、音楽データや画像データ等を格納した種々のソフトメディアが数多く販売されている。この種のソフトメディアでは、ミュージックビデオのように音楽と映像の両方が含まれるメディアも存在するが、画像または音楽のみのメディアの方が圧倒的に多い。つまり、通常の音楽には画像は添付されていないし、また、静止画像には音楽は付属されていない。
【０００３】
しかし、画像や音楽単体だけの再生に比べて、画像と音楽を組合せて再生すると、新しい楽しみ方が生まれる。とはいえ、音楽と画像をランダムに組合せても、うまくいくとは限らないので、直接的には関係のない画像と音楽との組合せであっても楽しませる方法が提案されている。例えば、音楽を解析して再生音楽のテンポに合わせて記録媒体内の静止画像を順次切りかけるような表示を行う画像処理装置が提案されている（例えば特許文献１等参照）。また、ホストコンピュータから音楽情報と画像情報をユーザに配信して、ユーザが音楽と画像を融合させて楽しめるようにするシステムも提案されている（例えば特許文献２等参照）。
【０００４】
一方、ネットワークの課題として、自分で撮影した画像を友達にプレゼントすることはネットワークを介して簡単にでき、また、音楽配信システムのネットワークで音楽データを自分の端末にダウンロードさせることも簡単にできるが、自分で取得した音楽データをネットワークを介して他人にプレゼントすることは、著作権の関係で出来なかった。そこで、端末よりネットワークのサーバに曲贈答要求信号を送信して、これを受け取ったサーバが相手先に曲を送信するシステムが提案されている（例えば特許文献３等参照）。
【特許文献１】特開２００１−１４８１０７号公報
【特許文献２】特開２００１−３０６０７０号公報
【特許文献３】特開２００３−６４５６号公報
【発明の開示】
【発明が解決しようとする課題】
【０００５】
ところで、このような音楽と画像との組合せを形成した場合、その出来がよければ自分で楽しむだけでなく、友人等にプレゼントしたい場面が考えられる。
【０００６】
そこで、ネットワークを介して１回で簡単に送信できればよいが、自分の端末のハードディスクにダウンロードした音楽情報を他人に再ダウンロードする行為は禁止されているので、音楽がダウンロードして入手したものであると、上記特許文献３に記載の曲贈答配信システムのような手続きが必要になる。つまり、画像と組合せ情報を相手に送信し、かつ音楽だけをサーバに別途相手に送信させる手続きをするという煩わしい手続きが必要になる。
【０００７】
この発明は、このような事情を考慮してなされたものであり、ネットワーク上で繋がったユーザ端末間において音楽・画像の組合せ情報を容易に授受できる音楽配信システムおよび同システムに接続される電子装置等を提供することを目的とする。
【課題を解決するための手段】
【０００８】
前述した目的を達成するために、この発明の音楽配信システムは、音楽データを配信する音楽配信サーバ装置と、前記音楽配信サーバ装置とネットワーク接続される電子装置とからなる音楽配信システムにおいて、前記電子装置は、所定のパターンの画像処理を施しながら画像データを再生し、かつ、この画像データの再生と同期させて音楽データを再生する組合せ再生のための画像データ、画像処理パターンおよび音楽データの組合せに関する組合せ情報を設定する組合せ設定部と、前記組合せ設定部により設定された組合せ情報と、当該組合せ情報で示される画像データとを前記ネットワーク経由で直接的に他の電子装置に送信するとともに、前記他の電子装置に対する配信を前記ネットワーク経由で前記音楽配信サーバ装置に要求することによって当該組合せ情報で示される音楽データを間接的に前記他の電子装置に送信する通信制御部とを備え、前記音楽配信サーバ装置は、前記電子装置の前記通信制御部からの要求に応じて、配信対象の音楽データを前記ネットワーク経由で前記他の電子機器に配信する音楽送信管理部を備えることを特徴とする。上記電子装置の組合せ設定部は実施形態では組合せ設定部２０２、通信制御部は通信制御部２０１に該当し、音楽配信サーバ装置の音楽送信管理部は音楽送信管理部１０１に該当する。
【０００９】
また、この発明の電子装置は、音楽データを配信する音楽配信サーバ装置とネットワーク接続される電子装置において、所定のパターンの画像処理を施しながら画像データを再生し、かつ、この画像データの再生と同期させて音楽データを再生する組合せ再生のための画像データ、画像処理パターンおよび音楽データの組合せに関する組合せ情報を設定する組合せ設定部と、前記組合せ設定部により設定された組合せ情報と、当該組合せ情報で示される画像データとを前記ネットワーク経由で直接的に他の電子装置に送信するとともに、前記他の電子装置に対する配信を前記ネットワーク経由で前記音楽配信サーバ装置に要求することによって当該組合せ情報で示される音楽データを間接的に前記電子装置に送信する通信制御部とを具備することを特徴とする。上記組合せ設定部は実施形態では組合せ設定部２０２、通信制御部は通信制御部２０１に該当する。
【発明の効果】
【００１０】
この発明によれば、ネットワーク上で繋がったユーザ端末間において音楽・画像の組合せ情報を容易に授受できる音楽配信システムおよび同システムに接続される電子装置等を提供することができる。
【発明を実施するための最良の形態】
【００１１】
以下、図面を参照してこの発明の実施形態について説明する。
【００１２】
（第１実施形態）
まず、この発明の第１実施形態を説明する。
【００１３】
図１は、本実施形態の音楽配信システムのシステム構成を示す図である。図１に示すように、この音楽配信システムは、サーバ装置１と複数の電子装置２とがネットワーク３を介して接続されることによって構成されている。
【００１４】
サーバ装置１は、音楽データの配信用に音楽配信業者側に設置されるコンピュータであり、ＣＰＵ１１、記憶部１２、通信インタフェース（Ｉ／Ｆ）部１３を有している。
【００１５】
ＣＰＵ１１は、このサーバ装置１全体の制御を司る。後述する音楽送信管理部１０１は、プログラムを読み込んで実行制御する当該ＣＰＵ１１が該当する。記憶部１２は、例えばハードディスク装置や光磁気ディスク装置などで構成され、配信対象の音楽データを含む種々のデータを格納する。そして、通信インタフェース部１３は、電子装置２との間のネットワーク３経由の通信を実行制御する。
【００１６】
一方、電子装置２は、サーバ装置１からの音楽データの配信を受ける各ユーザ側で利用されるコンピュータであり、ＣＰＵ２１、ＲＯＭ２２、ＲＡＭ２３、記憶部２４、操作部２５、音声処理／出力部２６、表示部２７、画像処理部２８および通信インタフェース（Ｉ／Ｆ）部２９を有している。なお、図１には、ユーザＡ用の電子装置２とユーザＢ用の電子装置２の２台の電子装置２を示したが、これらは同一の構成をもつものであり、ユーザＢ用の電子装置２については、その一部の図示を省略している。
【００１７】
ＣＰＵ２１は、この電子装置２全体の制御を司る。後述する通信制御部２０１、組合せ設定部２０２、音楽管理部２０３および画像管理部２０４は、例えばＲＯＭ２２に格納されたプログラムを読み込んで実行制御する当該ＣＰＵ２１が該当する。
【００１８】
ＲＯＭ２２は、例えばＣＰＵ２１によって実行制御されるプログラムの中の主要なプログラムを格納するメモリデバイスである。また、ＲＡＭ２３は、この電子装置２の主記憶となるメモリデバイスであり、ＣＰＵ２１の作業領域として各種プログラムや各種データを格納する。一方、記憶部２４は、この電子装置２の外部記憶となるメモリデバイスであり、ＲＡＭ２３の補助装置として各種プログラムや各種データを格納する。記憶部２４に格納されるデータとして、サーバ装置１から受信する音楽データのほか、後述する画像データ、組合せデータ、テンプレートデータ等が存在する。
【００１９】
操作部２５は、この電子装置２が提供するユーザインタフェースのインプット側を担うデバイスであり、ユーザの操作をＣＰＵ２１に通知する。一方、音声処理／出力部２６および表示部２７は、この電子装置２が提供するユーザインタフェースのアウトプット側を担うデバイスであり、音声処理／出力部２６はユーザに対する音声出力、表示部２７はユーザに対する画像出力をそれぞれ実行する。また、画像処理部２８は、表示部２７を介して出力される画像に種々のパターンの画像処理を施すものである。そして、通信インタフェース部２９は、サーバ装置１との間のネットワーク３経由の通信を実行制御する。
【００２０】
次に、このような構成をもつ本実施形態の音楽配信システムにおいて、ネットワーク３を介して接続される電子装置２間で、画像データ、画像処理パターンおよび音楽データの組合せであるリミックスデータ（以下、リミックスとも称す）を送受信する動作原理について説明する。まず、本実施形態の音楽配信システムで取り扱うリミックスについて説明する。
【００２１】
リミックスとは、例えば旅行時などにデジタルカメラで撮影した画像を見る際、ただ単に各画像を表示するのではなく、特殊な映像効果を生み出すための画像処理を施しながら表示していくとともに、この画像の表示と同期させて、いわゆるＢＧＭとして音楽をかけたり、あるいは、音楽を聞く時に、この音楽の再生と同期させて、いわゆるイメージ画像として、特殊な映像効果を生み出すための画像処理を施しながら画像を表示していくといった処理を称し、新たな楽しみ方をユーザに提供するものである。つまり、リミックスは、画像データ、画像処理パターン、音楽データの組合せで構成される。電子装置２の組合せ設定部２０２は、この組合せを設定するものである。
【００２２】
図２は、組合せ設定部２０２が表示するリミックス作成画面を示す図である。図２に示すように、リミックス作成画面は、リミックスウィンドウａ１、画像ウィンドウａ２、テンプレートウィンドウａ３、音楽ウィンドウａ４の４つのフィールドからなり、画像ウィンドウａ２内に一覧表示される画像の中から目的の画像、テンプレートウィンドウａ３内に一覧表示されるテンプレート（画像表示処理パターン）の中から目的のテンプレート、音楽ウィンドウａ４内に一覧表示される音楽の中から目的の音楽をそれぞれ選択する。リミックスウィンドウａ１内には、現在作成中のリミックスの番号（ａ５）と、画像ウィンドウａ２、テンプレートウィンドウａ３、音楽ウィンドウａ４の各ウィンドウで選択された画像、テンプレート、音楽が提示される（ａ６，ａ７，ａ８）。このように設定されるリミックスは、再生ボタンａ９を操作すれば、デモンストレーションとして試験的に再生することが可能である。
【００２３】
この組合せ設定部２０２により設定されたリミックスの組合せは、組合せデータとして記憶部２４に格納される。この記憶部２４には、リミックスで使用される画像データ、テンプレートデータ、音楽データも格納されている。音楽管理部２０３はこの音楽データの管理を実行し、画像管理部２０４はこの画像データの管理を実行する。
【００２４】
図３には、リミックスとしてテンプレートを設定することによって施される画像表示処理パターンの一例が示されている。
【００２５】
このテンプレートが設定されたリミックスでは、１つ目の画像が左から現れて右に移動していき、この１つ目の画像の表示領域外への退出と同期するように、次の２つ目の画像が上から現れて下へと移動していく。そして、この２つ目の画像が表示領域外へ退出するのと同期するように、３つ目の画像が１つ目の画像と同様に左から現れる。以下、同様の手順で各画像が順次表示されていく。このように、単純に各画像を順次に表示していく場合と比較して、特殊な映像効果が生み出される。
【００２６】
このように設定されるリミックスは、図４に示すように、上面、左側面、右側面の３面が表された立方体の斜視図を模したオブジェクトｂ１で表示される。このオブジェクトｂ１をリミックスキューブと称する。このリミックスキューブの上面には選択されたテンプレートの種類、左側面には画像データ、右側面には音楽データが示されている。つまり、オブジェクトｂ１として立方体の斜視図を模した形状を採用することで、リミックスを構成する画像データ、画像処理パターン、音楽データの組合せを一目で確認できるように工夫されている。
【００２７】
また、このリミックスキューブの表示は、例えばキーボード等でスクロールするように他のリミックスキューブの表示へと切り換えることができ、かつ、目的のリミックスキューブを表示させた状態で、送信ボタンｂ２を操作すると、このリミックスキューブで表されるリミックスデータを友達等に送信することができる。このリミックスデータの送信は、通信制御部２０１によって制御される。
【００２８】
図５は、送信ボタンｂ２が操作された際に通信制御部２０１が表示するリミックス送信画面（ｃ１）を示す図である。通信制御部２０１は、送信相手のアドレスの入力を受け付けて、この受け付けたアドレスの提示・送信を実行する。また、例えばアドレス帳などと称されるアドレス一覧を提示し、その中から選択されたアドレスに向けて送信する等、送信相手の特定手法は既知の手法のいずれであっても構わない。
【００２９】
ところで、あるユーザ（ここではユーザＡ）が、自分の作成したリミックスを他のユーザ（ここではユーザＢ）にネットワーク３経由で送信、つまりプレゼントする場合を考えてみると、リミックスの構成要素のうち、（自分の撮影した）画像データやテンプレートデータ、組合せデータをユーザ間で送受信することについては何等問題はないが、音楽データのユーザ間での送受信については著作権を考慮しなければならない。
【００３０】
そこで、この音楽配信システムでは、著作権保護された音楽データを構成要素に含むリミックスをユーザ間で送受信可能とするための仕組みを提供する。より具体的には、電子装置２の通信制御部２０１は、リミックスの送信指示を受けると、テンプレートデータを含む組合せデータ、画像データを指定のアドレスに送信し、これと並行して、音楽データを管理するサーバ装置１に対して、当該音楽データの指定アドレスへの配信を要求する。この要求を受けたサーバ装置１では、音楽送信管理部１０１が、記憶部１２に記憶された音楽データの指定アドレスへの配信を実行する。この際、音楽送信管理部１０１は、この音楽データの配信についての課金を、配信要求元、つまり音楽データの配信を受けるユーザＢではなく、この配信を要求したユーザＡに対して行う。リミックスの受信側では、友人の電子装置２から組合せデータおよび画像データ、サーバ装置１から音楽データを受け取るので、自分の電子装置２のテンプレートデータと合わせて、送信側が意図する内容でのリミックス再生が可能となる。
【００３１】
このように、この音楽配信システムでは、音楽データのみを（著作権を保有する）サーバ装置１を介在させることにより、著作権保護された音楽データを構成要素に含むリミックスをユーザ間で送受信可能とする。
【００３２】
図６は、この音楽配信システムにおいて電子装置２間でリミックスを送受信する場合の動作の流れを示すフローチャートである。図６中、（Ａ）にはリミックスを作成・送信するユーザＡの電子装置２の動作の流れ、（Ｂ）にはサーバ装置１の動作の流れ、（Ｃ）にはリミックスを受信するユーザＢの電子装置２の動作の流れがそれぞれ示されている。
【００３３】
ユーザＡの電子装置２では、まず、図７にその詳細な流れが示されるリミックス作成処理が実行される（ステップＡ１）。リミックス作成処理では、組合せ設定部２０２が、図２に示したリミックス作成画面を表示し（ステップＤ１）、このリミックス作成画面上において、画像の選択（ステップＤ２）、テンプレートの選択（ステップＤ３）、音楽の選択（ステップＤ４）をそれぞれ受け付ける。組合せ設定部２０２は、この選択に対応したリミックスキューブの表示を行い（ステップＤ５）、そのリミックスデータ（組合せデータ）を記憶部２４に保存する（ステップＤ６）。
【００３４】
このように作成されるリミックスは、通信制御部２０１によってその送信指示が受け付けられ（ステップＡ２）、通信制御部２０１は、このリミックスを構成する各データの中から音楽データを除く組合せデータおよび画像データをユーザＢの電子装置２に直接的に送信する（ステップＡ３）。また、これと並行して、通信制御部２０１は、このリミックスを構成する音楽データをユーザＢの電子装置２に配信する旨の要求をサーバ装置１に通知する（ステップＡ４）。
【００３５】
サーバ装置１では、この要求を音楽送信管理部１０１が受け付け（ステップＢ１）、音楽送信管理部１０１は、ユーザＡに対する課金処理を行い（ステップＢ２）、ユーザＢの電子装置２に対する音楽データの配信を実行する（ステップＢ３）。
【００３６】
そして、ユーザＢの電子装置２では、通信制御部２０１が、リミックスを構成する各データのうち、音楽データを除く組合せデータおよび画像データをユーザＡの電子装置２から受信して記憶部２４に格納するとともに（ステップＣ１）、音楽データをサーバ装置１から受信して記憶部２４に格納する（ステップＣ２）。そして、組合せ設定部２０２は、これらの各データを使ってリミックスを作成する（ステップＣ３）。
【００３７】
以上のように、著作権保護された音楽データを構成要素に含むリミックスをユーザ間で送受信することを実現する。
【００３８】
（第２実施形態）
次に、この発明の第２実施形態を説明する。図８は、本実施形態の音楽配信システムのシステム構成を示す図である。
【００３９】
前述の第１実施形態の音楽配信システムでは、リミックスを構成する各データのうち、著作権保護された音楽データのみを当該著作権を保有する音楽配信業者のサーバ装置１を介在させ、ユーザ間でのリミックスの送受信を可能とする例を説明したが、本実施形態の音楽配信システムでは、組合せデータおよび画像データもサーバ装置１を介在させ、ユーザ間でのリミックスの送受信を実現する。そのために、本実施形態の音楽配信システムのサーバ装置１は、音楽データのみではなく、組合せデータおよび画像データ等も記憶部１２で管理する。
【００４０】
図９は、この音楽配信システムにおいて電子装置２間でリミックスを送受信する場合の動作の流れを示すフローチャートである。図９中、（Ａ）にはリミックスを作成・送信するユーザＡの電子装置２の動作の流れ、（Ｂ）にはサーバ装置１の動作の流れ、（Ｃ）にはリミックスを受信するユーザＢの電子装置２の動作の流れがそれぞれ示されている。
【００４１】
ユーザＡの電子装置２では、まず、組合せ設定部２０２が、前述したリミックス作成処理を実行し（ステップＥ１）、この作成されたリミックスの送信指示が通信制御部２０１によって受け付けられる（ステップＥ２）。そして、通信制御部２０１は、このリミックスを構成する音楽データをユーザＢの電子装置２に配信する旨の要求とともに、当該リミックスを構成するための組合せデータおよび画像データをサーバ装置１に送信する（ステップＥ３）。
【００４２】
サーバ装置１では、この要求を組合せデータおよび画像データとともに音楽送信管理部１０１が受け付け（ステップＦ１）、音楽送信管理部１０１は、ユーザＡに対する課金処理を行い（ステップＦ２）、受け取った組合せデータおよび画像データに付加して音楽データをユーザＢの電子装置２に配信する（ステップＦ３）。
【００４３】
そして、ユーザＢの電子装置２では、通信制御部２０１が、このリミックスを構成するための音楽データ、画像データおよび組合せデータをサーバ装置１から受信して記憶部２４に格納する（ステップＧ１）。
【００４４】
このように、本実施形態の音楽配信システムにおいても、著作権保護された音楽データは当該著作権を保有する音楽配信業者のサーバ装置１から配信されることになるので、ユーザ間でのリミックスの送受信が可能となる。
【００４５】
なお、本実施形態のＣＰＵ１１，２１に対し上記機能を実行するソフトウェアのプログラムを供給し、ＣＰＵ１１，２１が、供給されたプログラムに従って上記動作させることにより上記実施の形態の機能を実現したものも、本発明の範疇に含まれる。つまり上記ソフトウェアのプログラム自体が上述した実施の形態の機能を実現することになり、そのプログラム自体は本発明を構成する。
【００４６】
また、これらのプログラムはＲＯＭ２２等以外の記録媒体の形式で記憶され、そこから読み出されて実行されていも良い。更に、上記プログラムは、サーバ装置１、ユーザ端末装置２に着脱可能な記録媒体に格納されていも良い。記録媒体としては、フロッピィディスク（登録商標）、ＣＤ−ＲＯＭの他にも、ＤＶＤ等の光学記録媒体、ＭＤ等の磁気記録媒体、テープ媒体、ＩＣカード等の半導体メモリ等を用いることができる。
【００４７】
また、専用通信ネットワークやインターネットに接続されたサーバシステムに設けたハードディスクまたはＲＡＭ等の格納装置を記録媒体として使用し、通信網を介してプログラムをサーバ装置１、電子装置２に提供してもよい。あるいは他のアプリケーションソフト等と協働して上述の実施の形態の機能が実現される場合にも、かかるプログラムが本発明の実施の態様に含まれることはいうまでもない。
【００４８】
また、本実施形態の各処理は、ＣＰＵで実行するものとして説明したが、一部または全部をハードウェアにより実現するようにしても良い。
【図面の簡単な説明】
【００４９】
【図１】この発明の第１実施形態の音楽配信システムのシステム構成を示す図
【図２】同第１実施形態の音楽配信システムを構成する電子装置の組合せ設定部が表示するリミックス作成画面を示す図
【図３】同第１実施形態の音楽配信システムを構成する電子装置においてリミックスとしてテンプレートを設定することによって施される画像処理パターンの一例を示す図
【図４】同第１実施形態の音楽配信システムを構成する電子装置におけるリミックスの表示例を示す図
【図５】同第１実施形態の音楽配信システムを構成する電子装置の通信制御部が表示するリミックス送信画面を示す図
【図６】同第１実施形態の音楽配信システムにおいて電子装置間でリミックスを送受信する場合の動作の流れを示すフローチャート
【図７】同第１実施形態の音楽配信システムにおいて電子機器で実行されるリミックス作成処理の動作の流れを示すフローチャート
【図８】同第２実施形態の音楽配信システムのシステム構成を示す図
【図９】同第２実施形態の音楽配信システムにおいて電子装置間でリミックスを送受信する場合の動作の流れを示すフローチャート
【符号の説明】
【００５０】
１…サーバ装置、２…電子装置、３…ネットワーク、１１…ＣＰＵ、１２…記憶部、１３…通信インタフェース（Ｉ／Ｆ）部、２１…ＣＰＵ、２２…ＲＯＭ、２３…ＲＡＭ、２４…記憶部、２５…操作部、２６…音声処理／出力部、２７…表示部、２８…画像処理部、２９…通信インタフェース（Ｉ／Ｆ）部、１０１…音楽送信管理部、２０１…通信制御部、２０２…組合せ設定部、２０３…音楽管理部、２０４…画像管理部。
【図１】
2007033512.tif 000003
【図２】
2007033512.tif 000004
【図３】
2007033512.tif 000005
【図４】
2007033512.tif 000006
【図５】
2007033512.tif 000007
【図６】
2007033512.tif 000008
【図７】
2007033512.tif 000009
【図８】
2007033512.tif 000010
【図９】
2007033512.tif 000011